(57)【特許請求の範囲】
【請求項１】
遊技機本体の前面部に上下一対の軸支部を介して脱着可能に枢支される前扉を備える遊技機において、
下側の軸支部は、前扉の下端部に配設される回動側下部軸支片と、遊技機本体の前面部に配設されて回動側下部軸支片を水平回動自在に且つ脱着可能に下方から保持する固定側下部軸支片とで構成され、かつ一方の軸支片に軸孔が設けられ、他方の軸支片に該軸孔と嵌合する枢軸が配設されたものであり、
固定側下部軸支片は、上面に枢軸又は軸孔が設けられた略水平板状の連結板部を備え、且つ連結板部の上面に鏡面部を備えることを特徴とする遊技機。
【請求項２】
遊技機本体の前面部に上下一対の軸支部を介して脱着可能に枢支される前扉を備える遊技機において、
上側の軸支部は、前扉の上端部に配設される回動側上部軸支片と、遊技機本体の前面部に配設されて回動側上部軸支片を水平回動自在に且つ脱着可能に上方から保持する固定側上部軸支片とで構成され、かつ一方の軸支片に軸孔が設けられ、他方の軸支片に該軸孔と嵌合する枢軸が配設されたものであり、
固定側上部軸支片は、底面に枢軸又は軸孔が設けられた略水平板状の連結板部を備え、且つ連結板部の底面に鏡面部を備えることを特徴とする遊技機。
【請求項３】
遊技島に固設される外枠と、
該外枠に上下一対の軸支部を介して脱着可能に枢支される遊技機本体と
を備える遊技機において、
下側の軸支部は、遊技機本体の下端部に配設される回動側下部軸支片と、外枠に配設されて回動側下部軸支片を水平回動自在に且つ脱着可能に下方から保持する固定側下部軸支片とで構成され、かつ一方の軸支片に軸孔が設けられ、他方の軸支片に該軸孔と嵌合する枢軸が配設されたものであり、
固定側下部軸支片は、上面に枢軸又は軸孔が設けられた略水平板状の連結板部を備え、且つ連結板部の上面に鏡面部を備えることを特徴とする遊技機。
【請求項４】
遊技島に固設される外枠と、
該外枠に上下一対の軸支部を介して脱着可能に枢支される遊技機本体と
を備える遊技機において、
上側の軸支部は、遊技機本体の上端部に配設される回動側上部軸支片と、外枠に配設されて回動側上部軸支片を水平回動自在に且つ脱着可能に上方から保持する固定側上部軸支片とで構成され、かつ一方の軸支片に軸孔が設けられ、他方の軸支片に該軸孔と嵌合する枢軸が配設されたものであり、
固定側上部軸支片は、底面に枢軸又は軸孔が設けられた略水平板状の連結板部を備え、且つ連結板部の底面に鏡面部を備えることを特徴とする遊技機。
【請求項５】
前記鏡面部が回動側下部軸支片と当接しない位置に配設されていることを特徴とする請求項１又は請求項３に記載の遊技機。
【請求項６】
連結板部の上面は、鏡面部が設けられた部分が窪んでいることを特徴とする請求項５記載の遊技機。
【請求項７】
固定側下部軸支片は、固定側下部軸支片の上方又は前記鏡面部へ周囲光を反射させる反射板部を備えることを特徴とする請求項１、請求項３、請求項５又は請求項６のいずれかに記載の遊技機。
【請求項８】
前記鏡面部が前方に下り傾斜していることを特徴とする請求項１、請求項３、請求項５乃至請求項７のいずれかに記載の遊技機。
【請求項９】
前記鏡面部が断面円弧状をなす凸形状であることを特徴とする請求項１乃至請求項８のいずれかに記載の遊技機。
【請求項１０】
前記鏡面部が透明な保護部材により覆われていることを特徴とする請求項１乃至請求項９のいずれかに記載の遊技機。
【発明の詳細な説明】
【技術分野】
【０００１】
本発明は、前扉が上下一対の軸支部によって遊技機本体に脱着可能に枢支された遊技機、及び遊技機本体が上下一対の軸支部によって外枠に脱着可能に枢支された遊技機に関する。
【背景技術】
【０００２】
一般的なパチンコ機は、遊技島に固設される外枠を備え、該外枠に遊技機本体が枢支される。また、パチンコ機の遊技機本体の前面側には、前扉が片開き可能に枢支されており、パチンコ機のメンテナンスの際には前扉を開放させることにより、機体内部を露出させ得るようにしている。
【０００３】
通常、こうしたパチンコ機では、遊技機本体や前扉は、上下一対の軸支部を介して枢支されており、必要に応じて脱着できるようになっている。例えば、特許文献１に記載のパチンコ機では、前扉を枢支する上側の軸支部が、遊技機本体の左上部の固定側上部軸支片と、該固定側上部軸支片に水平回動自在に保持される、前扉の左上部の回動側下部枢軸とからなり、また、下側の軸支部が、遊技機本体の左下部の固定側下部軸支片と、該固定側下部軸支片に水平回動自在に保持される、前扉の左下部の回動側下部軸支片とからなる。かかる構成では、各軸支部は、一方の軸支片に設けられた枢軸と他方の軸支片に設けられた軸孔との嵌合によって連結している。
【０００４】
ここで、上記特許文献１のパチンコ機では、上側の軸支部の枢軸は押下げ操作可能となっており、必要に応じて該枢軸を押し下げることによって、下側の軸支部が連結した状態で上側の軸支部を脱着できるようになっている。このため、かかるパチンコ機にあっては、前扉を遊技機本体に取り付ける際は、予め前扉を持ち上げて遊技機本体の前方に位置させた後、最初に回動側下部軸支片と固定側下部軸支片の枢軸と軸孔を嵌合させることにより下側の軸支部を連結させ、しかる後に、上側の軸支部の枢軸を押し下げることによって上側の軸支部を連結させる。
【０００５】
このように、一般的なパチンコ機においては、多少の構成の違いはあるものの、前扉を遊技機本体に取り付ける際に、前扉を持ち上げて、上下の軸支部のうち、まず所定の一方の軸支部を連結し、その後に他方の軸支部を連結するようになっている。また、遊技機本体を外枠に枢支する軸支部に関しても、前扉を枢支する軸支部と同様の構成となっており、遊技機本体は前扉と同様の手順で外枠に取り付けられる。
【０００６】
【特許文献１】特開２０００−２７１３２０号公報
【発明の開示】
【発明が解決しようとする課題】
【０００７】
上述のように、従来のパチンコ機では、前扉や遊技機本体を取り付ける際に、作業者が前扉や遊技機本体を持ち上げて軸支部を連結させるのであるが、この時、作業者の視点は持ち上げている前扉等の高さ位置にあるため、作業者からは前扉等に配設されている軸支片が死角となり易く、作業者が枢軸と軸孔との位置関係をなかなか把握できず、軸支部の連結に時間を要することが多い。上述したように、かかる取付作業では、最初の軸支部を連結するまで作業者は重い前扉や遊技機本体を持ち上げ続けなければならないため、このような取付作業は作業者にとって負担の大きいものとなっている。
【０００８】
本発明はかかる現状を鑑みてなされたものであり、前扉や遊技機本体等を枢支する軸支部の連結を効率的に行うことができるパチンコ機の提供を目的とするものである。
【課題を解決するための手段】
【０００９】
本発明は、遊技機本体の前面部に上下一対の軸支部を介して脱着可能に枢支される前扉を備える遊技機において、下側の軸支部は、前扉の下端部に配設される回動側下部軸支片と、遊技機本体の前面部に配設されて回動側下部軸支片を水平回動自在に且つ脱着可能に下方から保持する固定側下部軸支片とで構成され、かつ一方の軸支片に軸孔が設けられ、他方の軸支片に該軸孔と嵌合する枢軸が配設されたものであり、固定側下部軸支片は、上面に枢軸又は軸孔が設けられた略水平板状の連結板部を備え、且つ連結板部の上面に鏡面部を備えることを特徴とする遊技機である。
【００１０】
かかる構成では、前扉を持ち上げて回動側下部軸支片を固定側下部軸支片の上方に移動させた時に、前扉の高さにある作業者の視点から、死角となっている回動側下部軸支片の底部を固定側下部軸支片の鏡面部を介して視認することが可能となる。したがって、かかる構成によれば、前扉の取付作業において下側の軸支部を連結させる際に、作業者は、鏡面部を介して枢軸と軸孔の位置関係を把握することができ、枢軸と軸孔を短時間で嵌合させることが可能となる。
【００１１】
また、前扉の取付けの際に、上側の軸支部を先に連結させる遊技機にあっては、上側の軸支部は、前扉の上端部に配設される回動側上部軸支片と、遊技機本体の前面部に配設されて回動側上部軸支片を水平回動自在に且つ脱着可能に上方から保持する固定側上部軸支片とで構成され、かつ一方の軸支片に軸孔が設けられ、他方の軸支片に該軸孔と嵌合する枢軸が配設されたものであり、固定側上部軸支片は、底面に枢軸又は軸孔が設けられた略水平板状の連結板部を備え、且つ連結板部の底面に鏡面部を備える構成が提案される。
【００１２】
すなわち、かかる構成にあっては、前扉を持ち上げて回動側上部軸支片を固定側上部軸支片の下方に移動させた時に、前扉の高さにある作業者の視点から、固定側上部軸支片の鏡面部を介して死角となっている回動側上部軸支片の上部を視認することが可能となり、作業者は、鏡面部を介して枢軸と軸孔の位置関係を確認することによって、上側の軸支部を速やかに連結可能となる。
【００１３】
また、本発明は、前扉を枢支する軸支部に限らず、遊技機本体を枢支する軸支部にも適用可能である。すなわち、本発明の別の態様は、遊技島に固設される外枠と、該外枠に上下一対の軸支部を介して脱着可能に枢支される遊技機本体とを備える遊技機において、下側の軸支部は、遊技機本体の下端部に配設される回動側下部軸支片と、外枠に配設されて回動側下部軸支片を水平回動自在に且つ脱着可能に下方から保持する固定側下部軸支片とで構成され、かつ一方の軸支片に軸孔が設けられ、他方の軸支片に該軸孔と嵌合する枢軸が配設されたものであり、固定側下部軸支片は、上面に枢軸又は軸孔が設けられた略水平板状の連結板部を備え、且つ連結板部の上面に鏡面部を備えることを特徴とする遊技機であり、また、上側の軸支部は、遊技機本体の上端部に配設される回動側上部軸支片と、外枠に配設されて回動側上部軸支片を水平回動自在に且つ脱着可能に上方から保持する固定側上部軸支片とで構成され、かつ一方の軸支片に軸孔が設けられ、他方の軸支片に該軸孔と嵌合する枢軸が配設されたものであり、固定側上部軸支片は、底面に枢軸又は軸孔が設けられた略水平板状の連結板部を備え、且つ連結板部の底面に鏡面部を備えることを特徴とする遊技機である。かかる構成によれば、遊技機本体の取付け作業の際に、軸支部をスピーディに連結可能となり、作業を効率的に行うことができる。
【００１４】
ここで、本発明に係る遊技機は、パチンコ機に限らず、同様の軸支部を備えるスロットマシン等の遊技機を含むのである。本発明に係る「前扉」とは、遊技機がパチンコ機である場合には遊技盤の前面を覆うように枢支される扉状部材がこれに該当し、スロットマシンの場合にはリールの前面を覆うように枢支される扉状部材がこれに該当する。また、本発明に係る「遊技機本体」とは、遊技機の主体となる部分であり、遊技機がパチンコ機である場合には遊技盤を備えるものがこれに該当し、スロットマシンの場合にはリールを備えるものがこれに該当する。
【００１５】
また、固定側下部軸支片に鏡面部を設ける構成にあっては、鏡面部が回動側下部軸支片と当接しない位置に配設されている構成が提案される。かかる構成では、回動側下部軸支片が回動する時に回動側下部軸支片と鏡面部が擦れず、鏡面部が傷つき難い。具体的には、回動側下部軸支片を連結板部の上面と間隔をあけて保持するようにすれば、回動側下部軸支片が鏡面部と当接しない。また、回動側下部軸支片を連結板部の上面で支持する構成であっても、連結板部の上面の、鏡面部が設けられた部分を窪ませるようにすれば、鏡面部を回動側下部軸支片と当接しない位置に設けることができる。
【００１６】
また、固定側下部軸支片に鏡面部を設ける構成にあっては、固定側下部軸支片は、固定側下部軸支片の上方又は前記鏡面部へ周囲光を反射させる反射板部を備える構成も提案される。すなわち、かかる構成によれば、回動側下部軸支片を固定側下部軸支片の上方に移動させた時に、反射板部で反射した周囲光、又は、反射板部で反射した後さらに鏡面部で反射した周囲光によって、回動側下部軸支片の底部を照らすことが可能となる。なお、反射板部は、鏡面体に限らず、適度に周囲光を反射するものであればよい。
【００１７】
また、通常、前扉や遊技機本体を取り付ける際には、前扉や遊技機本体を持っている作業者の視点は固定側下部軸支片の上方前寄り位置となる。このため、かかる作業者の視点から鏡面部を介して固定側下部軸支片の上方を容易に視認できるようにするために、固定側下部軸支片に鏡面部を設ける構成にあっては、前記鏡面部が前方に下り傾斜している構成が提案される。
【００１８】
また、前記鏡面部が断面円弧状をなす凸形状である構成も提案される。かかる構成によれば、鏡面部が凸面鏡となるため、作業者は鏡面部を介して広範囲を視認可能となる。
【００１９】
また、前記鏡面部が透明な保護部材により覆われている構成も提案される。ここで、保護部材は透明樹脂等からなる板状部材や膜状部材によって構成され得るものであり、鏡面部を覆うように載置されるものであってもよいし、鏡面部にコーティングされるものでもよい。
【発明の効果】
【００２０】
以上のように、本発明は、前扉や遊技機本体が上下一対の軸支部を介して脱着可能に枢支されている遊技機にあって、固定側下部軸支片の連結板部の上面や、固定側上部軸支片の連結板部の底面に鏡面部を設けたものであるから、前扉や遊技機本体を取り付ける際に、作業者は、鏡面部を介して枢軸と軸孔の位置関係を視認することができ、軸支部の連結を短時間で行うことが可能となる。したがって、本発明によれば、かかる取付作業において、作業者は、前扉や遊技機本体を持ち上げている時間を従来よりも短縮することができ、作業の負担を軽減できる。
【００２１】
また、固定側下部軸支片に鏡面部を設ける構成にあって、鏡面部が回動側下部軸支片と当接しない位置に配設した場合には、回動側下部軸支片の回動によって鏡面部が傷つき難い。
【００２２】
また、固定側下部軸支片に、固定側下部軸支片の上方又は鏡面部へ周囲光を反射させる反射板部を配設した場合には、下側の軸支部を連結する際に、回動側下部軸支片の底部が照らされて、鏡面部を介して回動側下部軸支片を明瞭に視認可能となるため、作業性を向上させることができる。
【００２３】
また、鏡面部を前方に下り傾斜させた場合には、取付作業の際に、作業者が無理に視点を動かすことなく、通常の視点から鏡面部を介して適切な領域を視認することができる。
【００２４】
また、鏡面部を断面円弧状の凸形状にした場合には、嵌合すべき枢軸と軸孔が大きく離れている場合でも、作業者が鏡面部を介してそれらの位置関係を把握することが可能となり、作業効率を一層向上させることができる。
【００２５】
また、鏡面部を透明な保護部材によって覆った場合には、鏡面部の損傷や劣化、汚れ等を防ぐことができ、長期間、鏡面部を良好な状態に保つことができる。
【発明を実施するための最良の形態】
【００２６】
本発明の実施形態を以下の実施例に従って説明する。
【００２７】
<第一実施例>
本実施例は、本発明をパチンコ機に適用したものであり、具体的には、前扉を枢支するための上下一対の軸支部のうち、下側の軸支部に鏡面部を設けたものである。
【００２８】
本実施例におけるパチンコ機１は、図１，２に示されるように、遊技島（図示省略）に起立状に固設される木製で長方形状の外枠２と、この外枠２の前面開口部分を覆うように枢支される遊技機本体３とを備えてなる。また、遊技機本体３の前面部には前扉６が枢支される。
【００２９】
遊技機本体３は、略矩形状のアルミ製枠体からなる内枠４を主体とするものであり、外枠２と内枠４とに配設された上下一対の内枠軸支部８（８ａ，８ｂ）によって外枠２の左側縁に脱着可能に枢支される。
【００３０】
内枠４の中央には、ほぼ正方形状の遊技盤収容開口１８（図４参照）が開口している。この遊技盤収容開口１８には、ほぼ正方形状の遊技盤１２が装着される。なお、この遊技盤１２の盤面には、遊技釘、図柄表示装置、及び遊技盤面部品等（図示省略）が配設された遊技領域が形成される。
【００３１】
また、内枠４の前面下部には、遊技球を貯留可能な下皿部材１１が設けられている。この下皿部材１１は、後述する上皿部材１０から溢れた遊技球が流入するとともに、その底部に形成された下皿球抜口１７から遊技球を下方へ排出可能としている。
【００３２】
さらに、下皿部材１１の右隣には、発射ハンドル１３が設けられている。この発射ハンドル１３には発射レバー１４が回動可能に配設されており、遊技者がこの発射レバー１４を回動操作することにより、遊技球が遊技領域へ打ち出される構成となっている。
【００３３】
また、遊技機本体３は、上記構成のほか、内枠４の背面側に配設される裏機構板７も備えている。この裏機構板７には、例えば、遊技全般を制御する主制御基板と、賞球又は貸球の払出全般を制御する払出制御基板と、発射用駆動ソレノイドを駆動制御する発射制御基板と、各種制御基板へ駆動用電力を外部から分配供給する電源基板とが設けられている。また、前記遊技盤１２の裏面側には、図柄表示装置、音声出力装置、装飾用発光装置の出力を制御する演出制御基板が設けられている。
【００３４】
また、遊技機本体３の前面部に枢支される前扉６は、図１，２に示すように、合成樹脂製の方形状板体であり、上下一対の前扉軸支部９（９ａ，９ｂ）を介して遊技機本体３の左側縁に脱着可能に枢支されている。前扉６は、図１に示すように、通常は内枠４の右縁に配設される係止具２４によって遊技盤１２の前面を覆う状態で係止されており、係止具２４との係合を解除すると、図２に示すように、その左端縁を中心に前方回動可能となる。
【００３５】
また、前扉６の中央には、ほぼ円形の開口部１５が形成されている。この円形の開口部１５には、二枚の透明樹脂板で構成される透明板ユニット１９が背面側から装着されており、この透明板ユニット１９を介して、遊技者は前記遊技盤１２の遊技領域を視認することができる。
【００３６】
また、前扉６の前面であって開口部１５の周囲には、装飾カバー部材１６が固定されている。そして、この装飾カバー部材１６の前面下部に、裏機構板の払出装置から払い出された遊技球が流入する上皿部材１０が形成されている。
【００３７】
次に、前扉軸支部９の構成について説明する。
前扉軸支部９は、図３，４に示すように、前扉６の上端部を軸支する上側の上部前扉軸支部９ａと、前扉６の下端部を軸支する下側の下部前扉軸支部９ｂとからなる。後述するように、本実施例では、上部前扉軸支部９ａは下部前扉軸支部９ｂの連結状態で脱着可能となっており、前扉６を取り付ける際には、まず下部前扉軸支部９ｂを連結し、その後に、上部前扉軸支部９ａを連結するようになっている。
【００３８】
上部前扉軸支部９ａは、図３，４に示すように、前扉６の左側縁に配設される金属製補強板部材２５の前面上端部に固定される回動側上部軸支片２０と、内枠４の前面左上部に配設される固定側上部軸支片２１とで構成される。
【００３９】
回動側上部軸支片２０は、図４に示すように、前扉６の金属製補強板部材２５の上端前面に螺着される断面略コ字状の枢軸保持体２７を主体とする。該枢軸保持体２７の前部には、鉛直方向の枢軸保持孔３１が貫設されており、該枢軸保持孔３１には金属製の枢軸２８が昇降自在に保持される。枢軸２８と枢軸保持体２７の間にはコイルバネ２９が配設されており、これにより枢軸２８は枢軸保持体２７の上方に突出するよう付勢される。また、枢軸２８には、作業者が、コイルバネ２９の付勢力に抗して枢軸２８を下方移動させるための操作レバー３０が連結されている。
【００４０】
固定側上部軸支片２１は金属板片からなるものであり、内枠４の左上角部に螺着されて前方に突出し、その先端部には鉛直方向の軸孔３４が貫設されている。この軸孔３４は、前記回動側上部軸支片２０の枢軸２８が嵌入可能な孔径に設定されており、枢軸２８を軸孔３４に嵌入させることによって、回動側上部軸支片２０が固定側上部軸支片２１に水平回動自在に保持される。
【００４１】
一方、下部前扉軸支部９ｂは、図４に示すように、前扉６の左側縁に配設される金属製補強板部材２５の前面下端部に固定される回動側下部軸支片２２と、内枠４の前面左下部に配設される固定側下部軸支片２３とで構成される。
【００４２】
回動側下部軸支片２２は、折曲げ加工された金属板片であり、図４，５に示すように、軸孔３８が貫設される水平板状の連結板部３７と、該連結板部３７の一側縁に立設され、金属製補強板部材２５に螺着される垂直板状の取付部３６と、連結板部３７の他側縁から下方に延出し、固定側下部軸支片２３と当接することによって回動側下部軸支片２２の回動範囲を規制する回動規制部３９とで構成される。
【００４３】
一方、固定側下部軸支片２３は、鉛直上方に突出する枢軸４７を備えるものであり、該枢軸４７に、回動側下部軸支片２２の軸孔３８を上方から外嵌させることによって、回動側下部軸支片２２が固定側下部軸支片２３に水平回動自在に保持される。固定側下部軸支片２３の構造は本発明の要部に係るため、詳細は後述する。
【００４４】
次に前扉６を脱着する基本的な手順を説明する。
前扉６を遊技機本体３から取り外す際には、先に上部前扉軸支部９ａの連結を解除して、その後に下部前扉軸支部９ｂの連結を解除する。すなわち、図２〜４に示すように、まず、前扉６を開放した状態で、操作レバー３０の操作により回動側上部軸支片２０の枢軸２８を押し下げ、枢軸２８を軸孔３４から抜き取ることによって回動側上部軸支片２０と固定側上部軸支片２１の連結を解除して、前扉６の上部を前方に傾けるように引き出す。続いて、前扉６を持ち上げることによって、回動側下部軸支片２２の軸孔３８を固定側下部軸支片２３の枢軸４７から取り外し、回動側下部軸支片２２と固定側下部軸支片２３の連結を解除する。
【００４５】
取り外した前扉６を遊技機本体３に取り付ける際には、取外作業とは逆に、先に下部前扉軸支部９ｂを連結し、その後に上部前扉軸支部９ａを連結する。すなわち、図２〜４に示すように、まず、前扉６を持ち上げて、固定側下部軸支片２３の枢軸４７に、回動側下部軸支片２２の軸孔３８を上方から嵌合させ、下部前扉軸支部９ｂを連結させる。その後、操作レバー３０の操作によって枢軸２８を押し下げた状態で、回動側上部軸支片２０を固定側上部軸支片２１の下側に移動させ、枢軸２８を固定側上部軸支片２１の軸孔３４に挿入することによって、上部前扉軸支部９ａを連結させる。なお、前扉軸支部９ａ，９ｂの基本的な構成や脱着方法は、後述する本発明の要部を除き周知であるため詳細な説明は省略する。
【００４６】
以下、本発明の要部に係る固定側下部軸支片２３の構成について具体的に説明する。
【００４７】
固定側下部軸支片２３は、図５に示すように、上面前端部に枢軸４７が突設された水平板状の連結板部４６と、該連結板部４６の後縁から下方に延出し、内枠４に螺着される取付部４５と、連結板部４６の後縁から上方に延出し、且つその前面に光を反射する反射面部Ｎが設けられた反射板部４８とを備えてなる。
【００４８】
固定側下部軸支片２３は、図５〜７に示すように、金属板を折曲げ加工してなる支持板４９を主体とする。この支持板４９は、連結板部４６を構成する水平壁部５６と、取付部４５を構成する垂直壁部５５とからなる側面略Ｌ字状をなしている。
【００４９】
支持板４９の水平壁部５６は、図６に示すように、金属板が前端部で折り返されて二枚重なった形状となっている。水平壁部５６の上面前部には金属製の枢軸４７が上方に突出するように固着される。また、水平壁部５６の上面中央部には、上側の金属板のみを貫通するようにして五角形の収容凹部５０が形成される。この収容凹部５０には、鏡面体ケース５２に収納された鏡面体５３が鏡面部Ｍを上方に向けるようにして収容される。また、収容凹部５０には、薄板状の透明保護部材５４が鏡面体５３の鏡面部Ｍを覆うようにして収容される。また、収容凹部５０の後上縁には、収容凹部５０に収容される鏡面体５３等の取外しに用いる切欠部５１が形成される。
【００５０】
反射板部４８は、図６に示すように、Ｌ字状に折曲げ加工されたアルミ板からなるものであり、前方に延出する部分を、水平壁部５６の金属板間に後方から圧入することによって支持板４９に固定される。反射板部４８の前面には、鏡面加工が施された反射面部Ｎが設けられている。反射板部４８は、この反射面部Ｎで反射された周囲光が固定側下部軸支片２３の上方に向かい得るような位置、角度で設置される。この反射板部４８は可塑性に富んだアルミ板であるから、周囲光の状況に応じてその角度を適宜調節することができる。なお、かかる反射板部４８の反射面部Ｎは、純粋な鏡面体に限らず、適度に光を反射するものであればよい。また、反射板部４８は、周囲光を固定側下部軸支片２３の上方に直接反射する構成に限らず、周囲光を鏡面部Ｍへ反射して、反射した周囲光を、鏡面部Ｍを介して固定側下部軸支片２３の上方へ反射させるものであってもよい。
【００５１】
鏡面体５３は、図６に示すように、片面に鏡面部Ｍを備える平板状のガラス鏡からなる。鏡面体ケース５２は、鏡面体５３を収納する形状をなし、且つ前記収容凹部５０の下部に内嵌し得る形状をなす樹脂製の薄型箱体であり、鏡面部Ｍを上側に向けた状態で鏡面体５３を収納し、収容凹部５０に収容される。ここで、図６，７に示すように、鏡面体ケース５２の内底面は前方に下り傾斜しており、鏡面体５３を傾いた姿勢で収納することによって、鏡面部Ｍが前方に下り傾斜するようになっている。
【００５２】
透明保護部材５４は、板状の透明樹脂からなるものであり、鏡面体５３の鏡面部Ｍを覆うようにして収容凹部５０に収容される。ここで、透明保護部材５４の上面は、図７に示すように、水平壁部５６の上面よりも低い位置に配設されており、連結板部４６の上面は鏡面部Ｍが配設された部分で窪んでいる。
【００５３】
本実施例の固定側下部軸支片２３によれば、作業者が前扉６を持ち上げた状態では、図３に示すように、作業者の視点（前扉の高さ位置）からは、回動側下部軸支片２２が前扉６の死角となるが、作業者が、前扉６を遊技機本体３に近づけて、回動側下部軸支片２２を固定側下部軸支片２３の上方に移動させれば、図８に示すように、作業者は、鏡面部Ｍを介して回動側下部軸支片２２の軸孔３８を視認することができる。このため、本実施例では、前扉６を取り付ける際に、作業者は、鏡面部Ｍに映った軸孔３８’に基づいて、軸孔３８と枢軸４７の位置合せをすることが可能となる。また、この際に、反射面部Ｎで反射した周囲光によって回動側下部軸支片２２の底面が照らされるため、作業者は鏡面部Ｍに映った軸孔３８’を明瞭に視認できる。
【００５４】
このように、本実施例では、前扉６を遊技機本体３に取り付ける際に、作業者は、鏡面部Ｍを介して回動側下部軸支片２２を視認できるため、下部前扉軸支部９ｂの連結を短時間で行うことができ、前扉６の取付作業を効率的に行うことができる。
【００５５】
特に、本実施例では、図９に示すように、連結板部４６の上面は、鏡面部Ｍの部分において窪んでいるため、回動側下部軸支片２２は鏡面部Ｍと当接せず、水平壁部５６の上面で支持される。このため、本実施例では、前扉６を回動する時に回動側下部軸支片２２と鏡面部Ｍが擦れ合うことがなく、鏡面部Ｍが傷つき難いという利点がある。
【００５６】
また、鏡面部Ｍは、透明保護部材５４によって覆われているため、回動側下部軸支片２２以外の要因によっても鏡面部Ｍが傷つき難く、また、鏡面部Ｍに塵埃が付着するのも防止できる。なお、本実施例では、鏡面体ケース５２、鏡面体５３及び透明保護部材５４を、収容凹部５０に別々に隙間なく収容しているが、これに限らず、鏡面体ケース５２、鏡面体５３及び透明保護部材５４をユニット化して収容凹部５０に収容することもできる。かかる構成とした場合には、鏡面体５３の脱着が容易となる。
【００５７】
また、固定側下部軸支片２３は、周囲光を固定側下部軸支片２３の上方へ反射する反射板部４８を備えているため、下部前扉軸支部９ｂを連結する際に回動側下部軸支片２２の底部が照らされることとなり、作業者は鏡面部Ｍに映った軸孔３８を明瞭に視認することができる。
【００５８】
また、本実施例では、図９に示すように、鏡面部Ｍが前方に向かって下り傾斜しており、前扉６を取り付ける際に、作業者の通常の視点（固定側下部軸支片の上方前寄り位置）から鏡面部を介して固定側下部軸支片の上方を視認し易いようになっている。このため、作業者は、下部前扉軸支部９ｂを連結する際に、無理な姿勢をとることなく、鏡面部Ｍを介して回動側下部軸支片２２を視認できる。
【００５９】
＜第二実施例＞
第二実施例に係る固定側下部軸支片２３ａは、鏡面部Ｍａが断面円弧状の凸形状をなしていることを特徴とする。なお、本実施例は、上記第一実施例と固定側下部軸支片の構成のみ異なるものである。また、第一実施例と同じ構成の部分は図中で符号を一致させて説明を省略する。
【００６０】
具体的には、図１０〜１２に示すように、本実施例に係る支持板４９ａは、第一実施例と略同形状をなしているが、連結板部４６ａを構成する水平壁部５６ａの上面には円形の収容凹部５０ａが形成されており、該収容凹部５０ａに上面に鏡面部Ｍａを備える円板状の鏡面体５３ａが収容される。この鏡面体５３ａは、図１２に示すように、鏡面部Ｍａが断面円弧状の凸形状をなす凸面鏡であり、また、該鏡面部Ｍａは前方に向けて緩やかに下り傾斜している。また、鏡面体５３ａの鏡面部Ｍａは、鏡面部Ｍａの形状に合わせた透明樹脂製の透明保護部材５４ａによって覆われている。
【００６１】
かかる構成では、鏡面部Ｍａが凸形状であるため、鏡面部Ｍａによって、連結板部４６ａの上方の広い範囲を視認できるため、前扉６を取り付ける際に、回動側下部軸支片２２が比較的離れた位置にあっても、鏡面部Ｍａの鏡像に基づいて回動側下部軸支片２２を固定側下部軸支片２３ａの上方へ適切に案内できる。
【００６２】
＜第三実施例＞
第三実施例に係る固定側下部軸支片２３ｂは、鏡面部を構成する鏡面体としてアルミ板の表面を鏡面加工したものを用いたことを特徴とする。なお、本実施例は、上記第一実施例と固定側下部軸支片の構成のみ異なるものである。また、第一実施例と同じ構成の部分は図中で符号を一致させて説明を省略する。
【００６３】
具体的には、図１３〜１５に示すように、本実施例にあっては、連結板部４６ｂに配設される鏡面体５３ｂが、五角形のアルミ製薄板によって構成される。この鏡面体５３ｂの中央部には、上方に向けて断面円弧状に膨出する膨出部が設けられており、この膨出部の上面に、鏡面加工による鏡面部Ｍｂが設けられている。この鏡面体５３ｂは、第一実施例と同じ鏡面体ケース５２に収納されて、支持板４９の収容凹部５０に収容される。また、鏡面部Ｍｂは、鏡面体５３ｂの上面形状に合わせた透明保護部材５４ｂによって覆われている。
【００６４】
このように、本実施例では、鏡面加工した金属を鏡面体として用いているため、第一実施例に比べて、鏡面体が破損し難く、且つ、鏡面体を軽量化できるという利点があり、パチンコ機の製造時などに鏡面体を容易に取り扱うことができる。
【００６５】
＜第四実施例＞
第四実施例に係る固定側下部軸支片２３ｃは、鏡面部を構成する鏡面体が支持板の上面に直接配設されることを特徴とする。なお、本実施例は、上記第一実施例と固定側下部軸支片の構成のみ異なるものである。また、第一実施例と同じ構成の部分は図中で符号を一致させて説明を省略する。
【００６６】
具体的には、図１６〜１８に示すように、本実施例に係る支持板４９ｃは、第一実施例と略同形状であるが、連結板部４６ｃを構成する水平壁部５６ｃの上面には収容凹部が形成されておらず、水平壁部５６ｃの平滑な上面に鏡面体５３ｃが直接貼付される。鏡面体５３ｃは、ガラス鏡からなるものであり、その鏡面部Ｍｃは前方に向かって下り傾斜している。
【００６７】
また、本実施例では、枢軸４７ｃの根元部分に、回動側下部軸支片２２の軸孔３８よりも太径となる支持段部５８が形成されており、図１８に示すように、軸孔３８を枢軸４７ｃと嵌合させた時に、回動側下部軸支片２２が支持板４９ｃの上面と当接せず、該支持段部５８の上面によって支持されるようになっている。このため、本実施例では、鏡面体５３ｃを水平壁部５６ｃの上面に盛り上がるように配設しても、鏡面部Ｍｃと回動側下部軸支片２２が当接するのを防ぐことができる。
【００６８】
このように、回動側下部軸支片２２を連結板部４６ｃの上方で支持するようにした構成にあっては、支持板４９ｃの平滑な上面に直接鏡面体５３ｃを貼付することができ、鏡面部Ｍｃを簡単に配設できる。なお、本実施例のように、回動側下部軸支片を枢軸部分のみで支持する構成は、遊技機本体のように比較的重量の重いものを支持するには不適当であるが、通常の前扉の重さを支持するのであれば問題ない。
【００６９】
＜第五実施例＞
第五実施例に係る固定側下部軸支片２３ｄは、鏡面部を構成する鏡面体を、枢軸を中心に回動可能としたことを特徴とする。なお、本実施例は、上記第四実施例と固定側下部軸支片の構成のみ異なるものである。また、第四実施例と同じ構成の部分は図中で符号を一致させて説明を省略する。
【００７０】
具体的には、図１９（ａ），（ｂ）に示すように、本実施例に係る連結板部４６ｄは、第四実施例と同形状の支持板４９ｃと、アルミ製薄板の上面全体に鏡面部Ｍｄを配設してなる鏡面体５３ｄとで構成される。この鏡面体５３ｄは、その一側部に形成された切欠凹部６０を枢軸４７ｃの支持段部５８に外嵌することによって、水平壁部５６ｃの上で枢軸４７ｃを中心に水平回動可能に保持されている。ここで、切欠凹部６０の開放端部分は、支持段部５８の径より僅かに狭幅に設定されており、図２０に示すように、開放端部分を弾性変形させることによって水平方向から鏡面体５３ｂを支持段部５８に脱着できるようになっている。
【００７１】
かかる構成によれば、前扉６の取付作業の際に、鏡面体５３ｄを回動させて適当な位置に鏡面部Ｍｄを移動させることで、回動側下部軸支片２２の軸孔３８を鏡面部Ｍｄに適切に映し出すことができ、取付作業をより簡単に行うことができる。また、本実施例では、鏡面部Ｍｄが枢軸４７ｃの周囲にまで形成されているため、枢軸４７ｃのすぐ近くで軸孔３８を確認することができる。また、鏡面体５３ｄが脱着可能であるため、前扉６を取り付けた後で、鏡面体５３ｃを取り外しておくこともできる。
【００７２】
＜第六実施例＞
第六実施例に係る固定側下部軸支片２３ｅは、支持板４９ｅの表面に鏡面部Ｍｅが直接設けられていることを特徴とする。第四実施例の固定側下部軸支片２３ｃを変更したものであり、なお、本実施例は、上記第四実施例と固定側下部軸支片の構成のみ異なるものである。また、第四実施例と同じ構成の部分は図中で符号を一致させて説明を省略する。
【００７３】
具体的には、図２１，２２に示すように、本実施例に係る支持板４９ｅは、連結板部４６ｅを構成する水平壁部５６ｅの上面中央部が、上方に膨らむように成形されており、該膨出部の表面に直接鏡面加工がなされることによって鏡面部Ｍｅが配設される。かかる構成によれば、支持板に別途鏡面体を配設することを要しないため、部品点数を削減することができる。
【００７４】
＜第七実施例＞
第七実施例に係る固定側下部軸支片２３ｆは、第六実施例から鏡面部の形状を変更したものである。なお、本実施例は、上記第六実施例と固定側下部軸支片の構成のみ異なるものである。また、第六実施例と同じ構成の部分は図中で符号を一致させて説明を省略する。
【００７５】
具体的には、図２３，２４に示すように、本実施例にかかる支持板４９ｆは、第六実施例同様に、連結板部４６ｆを構成する水平壁部５６ｆの上面中央部が、上方に膨らむように成形され、該膨出部分に鏡面部Ｍｆが配設されている。ここで、本実施例では、鏡面部Ｍｆが断面円弧状をなす凸形状となっている。このため、本実施例では、第六実施例に比べて鏡面部Ｍｆにより広い範囲を映すことができる。
【００７６】
＜第八実施例＞
第八実施例は、第一実施例のパチンコ機１にあって、遊技機本体３を枢支する内枠軸支部８に本発明を適用したものである。なお、パチンコ機１の基本的構成は、第一実施例と同じであるため、符号を共通させて説明を省略する。
【００７７】
内枠軸支部８は、図２５に示すように、内枠４の上端部を軸支する上部内枠軸支部８ａと、内枠４の下端部を軸支する下部内枠軸支部８ｂとからなる。
【００７８】
上部内枠軸支部８ａは、図２５に示すように、水平板状の連結板部７４の底面に下方に突出する枢軸７５を備えてなり、外枠２の左上部に配設される固定側上部軸支片７１と、内枠４の左上側縁に配設されて固定側上部軸支片７１の枢軸７５と嵌合することにより水平回動自在に保持される回動側上部軸支片７０とで構成される。
【００７９】
一方、下部内枠軸支部８ｂは、図２５に示すように、水平板状の連結板部７７の上面に上方に突出する枢軸７６を備えてなり、外枠２の左下部に配設される固定側下部軸支片７２と、内枠４の左下側縁に配設されて固定側下部軸支片７２の枢軸７６と嵌合することにより水平回動自在に保持される金属製の回動側下部軸支片（図示省略）とで構成される。
【００８０】
ここで、本実施例では、上部内枠軸支部８ａは下部内枠軸支部８ｂの連結状態で脱着可能となっており、遊技機本体３を外枠から取り外す際には、作業者は、まず、遊技機本体３を開放した状態で上部内枠軸支部８ａの連結を解除して、遊技機本体３を前方に傾け、その後に、遊技機本体３を持ち上げることによって、下部内枠軸支部８ｂの連結を解除して、外枠２から遊技機本体３が分離させる。一方、取り外した遊技機本体３を外枠２に装着する際には、取外作業とは逆に、まず、遊技機本体３を持ち上げて、下部内枠軸支部８ｂを連結させ、その後に上部内枠軸支部８ａを連結させる。なお、以上に述べた内枠軸支部８ａ，８ｂの基本的な構成や脱着方法は周知であるため詳細な説明は省略する。
【００８１】
ここで、本実施例では、図２６に示すように、固定側下部軸支片７２の連結板部７７の上面に鏡面部Ｍｇが配設される。この鏡面部Ｍｇは、連結板部７７の上面を鏡面加工することによって枢軸７６の後方に設けられている。
【００８２】
かかる構成によれば、作業者が遊技機本体３を持ち上げた状態では、図２５に示すように、作業者の視点（遊技機本体の高さ位置）から回動側下部軸支片が遊技機本体３の死角となるが、作業者が、遊技機本体３を外枠２に近づけて、回動側下部軸支片を固定側下部軸支片７２の上方に移動させれば、作業者は、鏡面部Ｍｇを介して回動側下部軸支片を視認することができる。したがって、本実施例によれば、上記実施例における前扉の取付作業時と同様に、遊技機本体３の取付作業の際に、作業者は、鏡面部Ｍｇを介して軸孔と枢軸７６の位置関係を把握することによって、下部内枠軸支部８ｂの連結を短時間で行うことができる。
【００８３】
＜第九実施例＞
第九実施例は、前扉を枢支する上側の軸支部に鏡面部を配設したものである。なお、本実施例は、上記第一実施例と前扉軸支部の構成のみ異なるものである。また、第一実施例と同じ構成の部分は図中で符号を共通させて説明を省略する。
【００８４】
本実施例の前扉軸支部は、図２７に示すように、前扉６の上端部を軸支する上側の上部前扉軸支部９ｃと、前扉６の下端部を軸支する下側の下部前扉軸支部９ｄとからなる。
【００８５】
上部内枠軸支部９ｃは、図２７に示すように、上方に突出する枢軸７９を備え前扉６の左上隅に固定される回動側上部軸支片２０ａと、内枠４の前面左上部に配設される固定側上部軸支片２１ａとで構成される。固定側上部軸支片２１ａは、鉛直方向の軸孔８０が前部に設けられた水平板状の連結板部８１を備えてなる金属板片であり、該軸孔８０に、回動側上部軸支片２０ａの枢軸７９を下方から嵌合させることによって、回動側上部軸支片２０ａが固定側上部軸支片２１ａに水平回動自在に保持される。一方、下部前扉軸支部９ｄは、前扉６の左下隅に配設される回動側下部軸支片（図示省略）と、上方に突出する枢軸８２を備え内枠４の前面左下部に配設される固定側下部軸支片２３ｇとで構成される。
【００８６】
ここで、本実施例では、下部前扉軸支部９ｄは、上部前扉軸支部９ｃの連結状態で脱着可能となっており、前扉６を取り付ける際には、まず前扉６を持ち上げて上部前扉軸支部９ｃを連結し、その後に、下部前扉軸支部９ｄを連結するようになっている。なお、以上に述べた前扉軸支部９ｃ，９ｄの基本的な構成や脱着方法は周知であるため詳細な説明は省略する。
【００８７】
ここで、本実施例では、図２７に示すように、固定側上部軸支片２１ａの連結板部８１の底面に鏡面部Ｍｈが配設される。この鏡面部Ｍｈは、連結板部８１の底面を鏡面加工することによって軸孔８０の後方に設けられる。かかる構成によれば、作業者が前扉６を持ち上げた状態では、作業者の視点（前扉６の高さ位置）から回動側上部軸支片２０ａの枢軸７９が死角となるが、作業者が、前扉６を遊技機本体３に近づけて、回動側上部軸支片２０ａを固定側上部軸支片２１ａの下方に移動させれば、作業者は、鏡面部Ｍｈを介して枢軸７９を視認することができる。したがって、本実施例によれば、作業者は、鏡面部Ｍｈを介して上部前扉軸支部９ｃの軸孔と枢軸７６の位置関係を把握することができ、上部前扉軸支部９ｃの連結を短時間で行うことができる。
【００８８】
なお、第九実施例は、前扉を枢支する上側の軸支部に鏡面部を配設したものであるが、遊技機本体を枢支する上側の軸支部にも同様にして鏡面部を設けることができる。
【００８９】
なお、本発明の遊技機は、上述した実施の形態に限定されるものではなく、本発明の要旨を逸脱しない範囲内において種々変更を加え得ることは勿論である。例えば、上下の軸支部のうち鏡面部を配設しない側の構成は、実施例に限定されず適宜変更可能であり、また、鏡面部を配設する側の構成も、鏡面部を適切に配設し得る範囲内で変更可能できる。また、上記実施例は本発明をパチンコ機に適用したものであるが、上記実施例と同様にすることによって、前扉や遊技機本体を備えるスロットマシン等の遊技機にも本発明を適用できる。
【図面の簡単な説明】
【００９０】
【図１】遊技機本体３を開放して示すパチンコ機１の斜視図である。
【図２】前扉６を開放して示すパチンコ機１の斜視図である。
【図３】前扉６と遊技機本体３とを分離して示すパチンコ機１の斜視図である。
【図４】前扉軸支部９ａ，９ｂを拡大して示す斜視図である。
【図５】回動側下部軸支片２２と固定側下部軸支片２３の斜視図である。
【図６】固定側下部軸支片２３の分解斜視図である。
【図７】固定側下部軸支片２３の縦断側面図である。
【図８】回動側下部軸支片２２を連結する際の、回動側下部軸支片２２と固定側下部軸支片２３の斜視図である。
【図９】回動側下部軸支片２２と固定側下部軸支片２３の連結態様を示す縦断側面図である。
【図１０】第二実施例に係る固定側下部軸支片２３ａの斜視図である。
【図１１】第二実施例に係る固定側下部軸支片２３ａの分解斜視図である。
【図１２】第二実施例に係る固定側下部軸支片２３ａの縦断側面図である。
【図１３】第三実施例に係る固定側下部軸支片２３ｂの斜視図である。
【図１４】第三実施例に係る固定側下部軸支片２３ｂの分解斜視図である。
【図１５】第三実施例に係る固定側下部軸支片２３ｂの縦断側面図である。
【図１６】第四実施例に係る固定側下部軸支片２３ｃの斜視図である。
【図１７】第四実施例に係る固定側下部軸支片２３ｃの分解斜視図である。
【図１８】回動側下部軸支片２２と固定側下部軸支片２３ｃの連結態様を示す縦断側面図である。
【図１９】第五実施例に係る固定側下部軸支片２３ｄの斜視図である。
【図２０】第五実施例に係る固定側下部軸支片２３ｄの分解斜視図である。
【図２１】第六実施例に係る固定側下部軸支片２３ｅの斜視図である。
【図２２】第六実施例に係る固定側下部軸支片２３ｅの縦断側面図である。
【図２３】第七実施例に係る固定側下部軸支片２３ｆの斜視図である。
【図２４】第七実施例に係る固定側下部軸支片２３ｆの縦断側面図である。
【図２５】外枠２と遊技機本体３とを分離して示すパチンコ機１の斜視図である。
【図２６】固定側下部軸支片７２の斜視図である。
【図２７】第九実施例に係る前扉軸支部９ｃ，９ｄを拡大して示す斜視図である。
【符号の説明】
【００９１】
１  パチンコ機（遊技機）
２  外枠
３  遊技機本体
４  内枠
６  前扉
８，８ａ，８ｂ  内枠軸支部
９，９ａ〜９ｄ  前扉軸支部
２０，２０ａ  回動側上部軸支片
２１，２１ａ  固定側上部軸支片
２２  回動側下部軸支片
２３，２３ａ〜２３ｇ  固定側下部軸支片
３８  軸孔
４６，４６ａ〜４６ｆ  連結板部
４７，４７ｃ  枢軸
４８  反射板部
５３，５３ａ〜５３ｄ
５４，５４ａ，５４ｂ  透明保護部材
７１  固定側上部軸支片
７２  固定側下部軸支片
７６  枢軸
７７  連結板部
８０  軸孔
８１  連結板部
Ｍ，Ｍａ〜Ｍｈ  鏡面部
Ｎ  反射面部
【図１】
0004818799.tif 000002
【図２】
0004818799.tif 000003
【図３】
0004818799.tif 000004
【図４】
0004818799.tif 000005
【図５】
0004818799.tif 000006
【図６】
0004818799.tif 000007
【図７】
0004818799.tif 000008
【図８】
0004818799.tif 000009
【図９】
0004818799.tif 000010
【図１０】
0004818799.tif 000011
【図１１】
0004818799.tif 000012
【図１２】
0004818799.tif 000013
【図１３】
0004818799.tif 000014
【図１４】
0004818799.tif 000015
【図１５】
0004818799.tif 000016
【図１６】
0004818799.tif 000017
【図１７】
0004818799.tif 000018
【図１８】
0004818799.tif 000019
【図１９】
0004818799.tif 000020
【図２０】
0004818799.tif 000021
【図２１】
0004818799.tif 000022
【図２２】
0004818799.tif 000023
【図２３】
0004818799.tif 000024
【図２４】
0004818799.tif 000025
【図２５】
0004818799.tif 000026
【図２６】
0004818799.tif 000027
【図２７】
0004818799.tif 000028